(57)【特許請求の範囲】
【請求項１】
背面側にバックプレーンが設けられたシェルフ内に、電気コネクタ及び光コネクタが混載されて実装された複数のパッケージが収容され、各パッケージとバックプレーン間は電気コネクタ及び光コネクタにより接続される通信機器に適用される光コネクタであって、
光ファイバの先端のフェルールが組み込まれている光コネクタハウジングに、該光コネクタハウジングが該光コネクタと対応しない、電気コネクタのハウジングと接続されようとしたときに、該電気コネクタのハウジングのコーディングキーと突き当たる位置に設けられたコーディングキー取り付け部と、
該光コネクタハウジングが該光コネクタと対応しない、電気コネクタのハウジングと接続されようとしたときに、該電気コネクタのハウジングのコーディングキーと突き当たり、該フェルールの先端が該電気コネクタのハウジングと突き当たることが防止できる長さで、且つ該光ファイバのフェルールの先端より突出する長さを持つコーディングキーと、
を有することを特徴とする光コネクタ。
【請求項２】
背面側にバックプレーンが設けられたシェルフ内に、電気コネクタ及び光コネクタが混載されて実装された複数のパッケージが収容され、各パッケージとバックプレーン間は電気コネクタ及び光コネクタにより接続される通信機器に適用される光コネクタであって、
光ファイバの先端のフェルールが組み込まれている光コネクタハウジングに、コーディングキーを有する電気コネクタが接続されようとしたときに、該電気コネクタの該コーディングキーに突き当たる位置で、該フェルールの先端が該電気コネクタと突き当たることを防止し、且つ該光ファイバのフェルールの先端より突出する長さの光コネクタ専用のコーディングキーを設け、
該光コネクタ専用のコーディングキーは、直方体形状のブロックとこの長手方向両側のテーパ凸部よりなる
ことを特徴とする光コネクタ。
【請求項３】
背面側にバックプレーンが設けられたシェルフ内に、電気コネクタ及び光コネクタが混載されて実装された複数のパッケージが収容され、各パッケージとバックプレーン間は電気コネクタ及び光コネクタにより接続される通信機器に適用される光コネクタであって、
光ファイバの先端のフェルールが組み込まれている光コネクタハウジングに、コーディングキーを有する電気コネクタが接続されようとしたときに、該電気コネクタの該コーディングキーに突き当たる位置で、該フェルールの先端が該電気コネクタと突き当たることを防止し、且つ該光ファイバのフェルールの先端より突出する長さのコーディングキーを設けた、
ことを特徴とする光コネクタ。
【請求項４】
背面側にバックプレーンが設けられたシェルフ内に、電気コネクタ及び光コネクタが混載されて実装された複数のパッケージが収容され、各パッケージとバックプレーン間は電気コネクタ及び光コネクタにより接続される通信機器に適用される光コネクタであって、
光ファイバの先端のフェルールが組み込まれている光コネクタハウジングに、該光コネクタハウジングが該光コネクタと対応しない、電気コネクタのハウジングと接続されようとしたときに、該電気コネクタのハウジングのコーディングキーと突き当たる位置に設けられた光コネクタ専用のコーディングキー取り付け部と、
該光コネクタハウジングが該光コネクタと対応しない、電気コネクタのハウジングと接続されようとしたときに、該電気コネクタのハウジングのコーディングキーと突き当たり、該フェルールの先端が該電気コネクタのハウジングと突き当たることが防止できる長さで、且つ該光ファイバのフェルールの先端より突出する長さを持つ光コネクタ専用のコーディングキーとを有し、
該光コネクタ専用のコーディングキーは、直方体形状のブロックとこの長手方向両側のテーパ凸部よりなることを特徴とする光コネクタ。
【請求項５】
背面側にバックプレーンが設けられたシェルフ内に、電気コネクタ及び光コネクタが混載されて実装された複数のパッケージが収容され、各パッケージとバックプレーン間は電気コネクタ及び光コネクタにより接続される通信機器に適用される光コネクタであって、
光ファイバの先端のフェルールが複数組み込まれている光コネクタハウジングを、該複数のフェルールが整列する長手方向の両端に、先端が該フェルールの先端より突き出た腕部を有する構成とし、
該腕部の位置および突き出しは、該光コネクタハウジングが電気コネクタと接続されようとしたときに、該電気コネクタのハウジングの一部に突き当たり、該フェルールの先端が該電気コネクタと突き当たることが防止されることを特徴とする光コネクタ。
【請求項６】
背面側にバックプレーンが設けられたシェルフ内に、電気コネクタ及び光コネクタが混載されて実装された複数のパッケージが収容され、各パッケージとバックプレーン間は電気コネクタ及び光コネクタにより接続される通信機器に適用される光コネクタであって、
光ファイバの先端のフェルールが複数組み込まれている光コネクタハウジングを、該複数のフェルールが整列する長手方向と垂直な幅方向の両側に、先端が該フェルールの先端より突き出た凸部を有する構成とし、
該凸部の位置および突き出しは、該光コネクタハウジングが電気コネクタと接続されようとしたときに、該電気コネクタのハウジングの一部に突き当たり、該フェルールの先端が該電気コネクタと突き当たることが防止されることを特徴とする光コネクタ。
【発明の詳細な説明】
【０００１】
【発明の属する技術分野】
本発明は光コネクタに係り、複数のパッケージがシェルフ内に挿入されてバックプレーンに接続されて並んでいる構成の通信機器において、パッケージとバックプレーンとの接続に適用される光コネクタに関する。
複数のパッケージがシェルフ内に挿入されてバックプレーンに接続されて並んでいる構成の通信機器において、パッケージは、電子モジュールの他に光学モジュールが搭載されるようになってきている。よって、パッケージとバックプレーンとの間の接続は、電気コネクタを使用した電気的接続に加えて、光コネクタを使用した光学的接続がなされるようになってきており、パッケージの挿入方向先端の縁に沿うコネクタ群が、電気コネクタと光コネクタとが混在するようになってきている。このため、通信機器の組み立て時及び保守時に、所定のパッケージ挿入部に誤って別のパッケージを挿入した場合に対する対策を、光コネクタについても採ることが必要とされる。
【０００２】
【従来の技術】
電気コネクタについては、コーディングキーを組み込んで、対応しない電気コネクタ同士の接続を拒否する対策が採られている。しかし、光コネクタは、コーディングキーを有する構成とはなってない。
【０００３】
【発明が解決しようとする課題】
このため、所定のパッケージ挿入部に誤って別のパッケージを挿入した場合に、パッケージの光コネクタがバックプレーン上の電気コネクタに対向し、光コネクタが無理に電気コネクタに接続されようとし、この場合に、光コネクタに整列して組み込まれているフェルールの先端面が電気コネクタの端子に当たって傷つけてしまう。フェルールの先端面が傷付くと、光コネクタ同士を接続した場合の光信号の伝送効率が損なわれてしまう。
【０００４】
そこで、本発明は上記課題を解決した光コネクタを提供することを目的とする。
【０００５】
【課題を解決するための手段】
本願は、上記の課題を解決するものであり第１の発明による光コネクタは、背面側にバックプレーンが設けられたシェルフ内に、電気コネクタ及び光コネクタが混載されて実装された複数のパッケージが収容され、各パッケージとバックプレーン間は電気コネクタ及び光コネクタにより接続される通信機器に適用される光コネクタであって、
光ファイバの先端のフェルールが組み込まれている光コネクタハウジングに、該光コネクタハウジングが該光コネクタと対応しない、電気コネクタのハウジングと接続されようとしたときに、該電気コネクタのハウジングのコーディングキーと突き当たる位置に設けられたコーディングキー取り付け部と、
該光コネクタハウジングが該光コネクタと対応しない、電気コネクタのハウジングと接続されようとしたときに、該電気コネクタのハウジングのコーディングキーと突き当たり、該フェルールの先端が該電気コネクタのハウジングと突き当たることが防止できる長さで、且つ該光ファイバのフェルールの先端より突出する長さを持つコーディングキーと、
を有することを特徴とする。
第２の発明による光コネクタは、背面側にバックプレーンが設けられたシェルフ内に、電気コネクタ及び光コネクタが混載されて実装された複数のパッケージが収容され、各パッケージとバックプレーン間は電気コネクタ及び光コネクタにより接続される通信機器に適用される光コネクタであって、
光ファイバの先端のフェルールが組み込まれている光コネクタハウジングに、コーディングキーを有する電気コネクタが接続されようとしたときに、該電気コネクタの該コーディングキーに突き当たる位置で、該フェルールの先端が該電気コネクタと突き当たることを防止し、且つ該光ファイバのフェルールの先端より突出する長さの光コネクタ専用のコーディングキーを設け、
該光コネクタ専用のコーディングキーは、直方体形状のブロックとこの長手方向両側のテーパ凸部よりなることを特徴とする。
第３の発明による光コネクタは、背面側にバックプレーンが設けられたシェルフ内に、電気コネクタ及び光コネクタが混載されて実装された複数のパッケージが収容され、各パッケージとバックプレーン間は電気コネクタ及び光コネクタにより接続される通信機器に適用される光コネクタであって、
光ファイバの先端のフェルールが組み込まれている光コネクタハウジングに、コーディングキーを有する電気コネクタが接続されようとしたときに、該電気コネクタの該コーディングキーに突き当たる位置で、該フェルールの先端が該電気コネクタと突き当たることを防止し、且つ該光ファイバのフェルールの先端より突出する長さのコーディングキーを設けた、ことを特徴とする。
第４の発明による光コネクタは、背面側にバックプレーンが設けられたシェルフ内に、電気コネクタ及び光コネクタが混載されて実装された複数のパッケージが収容され、各パッケージとバックプレーン間は電気コネクタ及び光コネクタにより接続される通信機器に適用される光コネクタであって、
光ファイバの先端のフェルールが組み込まれている光コネクタハウジングに、該光コネクタハウジングが該光コネクタと対応しない、電気コネクタのハウジングと接続されようとしたときに、該電気コネクタのハウジングのコーディングキーと突き当たる位置に設けられた光コネクタ専用のコーディングキー取り付け部と、
該光コネクタハウジングが該光コネクタと対応しない、電気コネクタのハウジングと接続されようとしたときに、該電気コネクタのハウジングのコーディングキーと突き当たり、該フェルールの先端が該電気コネクタのハウジングと突き当たることが防止できる長さで、且つ該光ファイバのフェルールの先端より突出する長さを持つ光コネクタ専用のコーディングキーとを有し、
該光コネクタ専用のコーディングキーは、直方体形状のブロックとこの長手方向両側のテーパ凸部よりなることを特徴とする。
第５の発明による光コネクタは、背面側にバックプレーンが設けられたシェルフ内に、電気コネクタ及び光コネクタが混載されて実装された複数のパッケージが収容され、各パッケージとバックプレーン間は電気コネクタ及び光コネクタにより接続される通信機器に適用される光コネクタであって、
光ファイバの先端のフェルールが複数組み込まれている光コネクタハウジングを、該複数のフェルールが整列する長手方向の両端に、先端が該フェルールの先端より突き出た腕部を有する構成とし、
該腕部の位置および突き出しは、該光コネクタハウジングが電気コネクタと接続されようとしたときに、該電気コネクタのハウジングの一部に突き当たり、該フェルールの先端が該電気コネクタと突き当たることが防止されることを特徴とする。
第６の発明による光コネクタは、背面側にバックプレーンが設けられたシェルフ内に、電気コネクタ及び光コネクタが混載されて実装された複数のパッケージが収容され、各パッケージとバックプレーン間は電気コネクタ及び光コネクタにより接続される通信機器に適用される光コネクタであって、
光ファイバの先端のフェルールが複数組み込まれている光コネクタハウジングを、該複数のフェルールが整列する長手方向と垂直な幅方向の両側に、先端が該フェルールの先端より突き出た凸部を有する構成とし、
該凸部の位置および突き出しは、該光コネクタハウジングが電気コネクタと接続されようとしたときに、該電気コネクタのハウジングの一部に突き当たり、該フェルールの先端が該電気コネクタと突き当たることが防止されることを特徴とする。
【００１２】
【発明の実施の形態】
説明の便宜上、本発明の光コネクタが適用されている通信機器について説明する。図１に示すように、通信機器１０は、背面側にバックプレーン１１が設けてあるシェルフ１２内に、複数のパッケージ１３−１，１３−２，１３−３がガイドレール１４−１，１４−２，１４−３に案内されてＹ１方向に挿入され、コネクタ接続されて実装されており、Ｘ１，Ｘ２方向に並んでいる構成である。
【００１３】
バックプレーン１１には、シェルフ１２のガイドレール１４−１，１４−２，１４−３に対応して、コネクタ群１５−１，１５−２，１５−３が設けてある。パッケージ１３−１は、パッケージ本体１６−１上に電子モジュール１７−１ａ，１７−１ｂ，１７−１ｃと光モジュール１８−１とが混在して実装してあり、パッケージ本体１６−１のＹ１方向の端縁に沿ってコネクタ群１９−１が設けてある構成である。コネクタ群１９−１は、Ｚ１からＺ２方向に、電気コネクタ２０、電気コネクタ２１、電気コネクタ２２、光コネクタ２３の順で並んでいる構成である。
【００１４】
バックプレーン１１上のコネクタ群１５−１は、上記のコネクタ群１９−１に対応して、Ｚ１からＺ２方向に、電気コネクタ３０、電気コネクタ３１、電気コネクタ３２、光コネクタ３３の順で並んでいる構成である。
パッケージ１３−２は、パッケージ本体１６−２上に電子モジュール１７−２ａ，１７−２ｂと光モジュール１８−２ａ，１８−２ｂとが混在して実装してあり、パッケージ本体１６−２のＹ１方向の端縁に沿ってコネクタ群１９−２が設けてある構成である。コネクタ群１９−２は、Ｚ１からＺ２方向に、電気コネクタ４０、光コネクタ４１、光コネクタ４２、電気コネクタ４３の順で並んでいる構成である。
【００１５】
バックプレーン１１上のコネクタ群１５−２は、上記のコネクタ群１９−２に対応して、Ｚ１からＺ２方向に、電気コネクタ５０、光コネクタ５１、電気コネクタ５２、光コネクタ５３の順で並んでいる構成である。
コネクタ群１９−１、１５−１、１９−２、１５−２は、各コネクタ２０等の中心の間の寸法ａが等しい。
【００１６】
パッケージ１３−１がガイドレール１４−１に案内されてＹ１方向に挿入されると、コネクタ群１９−１がコネクタ群１５−１に正常に接続される。パッケージ１３−２がガイドレール１４−２に案内されてＹ１方向に挿入されると、コネクタ群１９−２がコネクタ群１５−２に正常に接続される。
誤ってガイドレール１４−１にパッケージ１３−２を挿入して実装する作業をした場合には、コネクタ群１９−２がコネクタ群１５−１に勢いよくぶつかる。
【００１７】
ここで、光コネクタ４１等は以下に示す構成となっており、光コネクタ４１等はフェルールの先端を傷つける事故は防止される。
〔第１実施例〕
図２は本発明の第１実施例の光コネクタ１００を示す。光コネクタ１００はパッケージ側光コネクタ４１とバックプレーン側光コネクタ５１とよりなる。
【００１８】
パッケージ側光コネクタ４１は、パッケージ本体１６−２に取り付けてある光コネクタであり、図３（Ａ）乃至（Ｄ）に示すハウジング１０１に、スリーブホルダ１０２及びＪプラグ１０３と、コーディングキー１０４とが組み込まれている構成である。
ハウジング１０１は、中央にコーディングキーが取り付けられるコーディングキー取り付け部１０１ａを有し、コーディングキー取り付け部１０１ａの両側に、プラグ取り付け部１０１ｂを４つずつ有し、長手方向の両側に係止腕部１０１ｃを有し、幅方向の両側にフェンス部１０１ｄを有する構成である。
【００１９】
各プラグ取り付け部１０１ｂには、スリーブホルダ１０２と、光ファイバ１０５の先端のＪプラグ１０３が嵌合して取り付けてある。Ｊプラグ１０３の先端面には、光ファイバ１０５の先端のフェルール１０６が突き出ている。よって、ハウジング１０１内には、フェルール１０６が整列している。
コーディングキー取り付け部１０１ａ内には、図４（Ａ）乃至（Ｃ）に示すコーディングキー１０４が取り付けてある。コーディングキー１０４は、電気コネクタについて規格化されている複数のコーディングキーのうちの一つである。規格化されている複数のコーディングキーは、図４（Ｂ）に示すように正面側から見てＸ１，Ｘ２方向に４区画ずつ、Ｚ１方向の列とＺ２方向の列との２列に整列してある「１」から「８」の区画毎に一つの突起部を設けたり、設けなかったりして、突起部が所定のパターンを形成するようにしたものである。このコーディングキー１０４は、区画「１」、「２」、「４」、「７」に突起部１０４ａ１、１０４ａ２、１０４ａ４、１０４ａ７を有する。破線で示す数値の区画は、突起部を有しない。
【００２０】
図７（Ａ）に簡略して示すように、突起部１０４ａ１、１０４ａ２、１０４ａ４、１０４ａ７とフェルール１０６とは、突起部１０４ａ７等の先端がフェルール１０６の先端より寸法ｂ突き出ている関係となっている。
バックプレーン側光コネクタ５１は、バックプレーン１１に取り付けてある光コネクタであり、図５（Ａ）乃至（Ｄ）に示す略箱形状のハウジング１１０に、プラグ１１１と、コーディングキー１１２とが組み込まれている構成である。
【００２１】
ハウジング１１０は、中央にコーディングキーが取り付けられるコーディングキー取り付け部１１０ａを有し、コーディングキー取り付け部１１０ａの両側に、プラグ取り付け部１１０ｂを４つずつ有する構成である。
各プラグ取り付け部１１０ｂには、光ファイバ１１３の先端のプラグ１１１が嵌合して取り付けてある。プラグ１１１の先端面には、光ファイバ１１３の先端のフェルール１１４が突き出ている。よって、ハウジング１１０内には、フェルール１１４が整列している。
【００２２】
コーディングキー取り付け部１１０ａ内には、図６（Ａ）乃至（Ｃ）に示すコーディングキー１１２が取り付けてある。コーディングキー１１２も、上記のコーディングキー１０４と同じく、電気コネクタについて規格化されている複数のコーディングキーのうちの一つであって、上記のコーディングキー１０４と入れ子の関係にあるものであり、区画「３」、「５」、「６」、「８」に突起部１１２ａ３、１１２ａ５、１１２ａ６、１１２ａ８を有する。
【００２３】
図７（Ａ）に簡略して示すように、突起部１１２ａ３、１１２ａ５、１１２ａ６、１１２ａ８とフェルール１１４とは、突起部１１２ａ８等の先端がフェルール１１４の先端より寸法ｂ突き出ている関係となっている。
図１に示すようにパッケージ１３−２がガイドレール１４−２に案内されてＹ１方向に挿入された場合には、図７（Ｂ）に簡略して示すように、コーディングキー１０４の突起部１０４ａ４、１０４ａ７はコーディングキー１１２の突起部１１２ａ３、１１２ａ８とは突き当たらず、パッケージ側光コネクタ４１はバックプレーン側光コネクタ５１と正常に接続され、フェルール１０６とフェルール１１４とがばね（図示せず）によって突き当たった状態となる。
【００２４】
次に、同じく図１に示すように、作業者が、誤って、パッケージ１３−２をガイドレール１４−１に案内させて挿入させた場合における、接続拒否について説明する。
この場合には、コネクタ群１９−２の電気コネクタ４０、光コネクタ４１、光コネクタ４２、電気コネクタ４３が、コネクタ群１５−１の電気コネクタ３０、電気コネクタ３１、電気コネクタ３２、光コネクタ３３に接続されようとする。
【００２５】
図８（Ａ）乃至（Ｃ）は、図１中、パッケージ１３−２のパッケージ側光コネクタ４１とバックプレーン１１上のバックプレーン側電気コネクタ３１との関係を示す。
図８（Ａ）に示すように、バックプレーン側電気コネクタ３１は、ハウジング１２０の中央にコーディングキー１２１が組み込まれており、ハウジング１２０に長いピン端子１２３が並んで固定してある構成である。図８（Ｂ）に示すように、コーディングキー１２１の突起部１２１ａの先端がピン端子１２３の先端より寸法ｂ突き出ている。コーディングキー１０４とコーディングキー１２１とは入れ子の関係にない。
【００２６】
よって、パッケージ側光コネクタ４１がバックプレーン側電気コネクタ３１と接続されようとすると、図８（Ｃ）に示すように、フェルール１０６がピン端子１２３に当たる前にコーディングキー１０４の突起部１０４ａ７がコーディングキー１２１の突起部１２１ａに突き当たって、パッケージ側光コネクタ４１のバックプレーン側電気コネクタ３１との接続が拒否される。
【００２７】
図９（Ａ）乃至（Ｃ）は、図１中、パッケージ１３−２のパッケージ側電気コネクタ４３とバックプレーン１１上のバックプレーン側光コネクタ３３との関係を示す。バックプレーン側光コネクタ３３は図２のバックプレーン側光コネクタ５１と同じものである。
図９（Ａ）に示すように、パッケージ側電気コネクタ４３は、ハウジング１３０の中央にコーディングキー１３１が組み込まれており、ハウジング１３０の孔１３０ａ内にはさみ端子１３２が設けてある構成である。図９（Ｂ）に示すように、コーディングキー１３１の突起部１３１ａの先端がハウジング１３０の前面１３０ｂより寸法ｂ突き出ている。コーディングキー１３１とコーディングキー１１２とは入れ子の関係にない。
【００２８】
よって、パッケージ側電気コネクタ４３がバックプレーン側光コネクタ３３と接続されようとすると、図９（Ｃ）に示すように、ハウジング１３０の前面１３０ｂがフェルール１１４に当たる前にコーディングキー１３１の突起部１３１ｂがコーディングキー１１２の突起部１２１ａ８に突き当たって、パッケージ側電気コネクタ４３のバックプレーン側光コネクタ３３との接続が拒否される。
【００２９】
このため、第１には、フェルール１０６がピン端子１２３に当たってフェルール１０６の端面が傷つくこと、及びハウジング１３０の前面１３０ｂがフェルール１１６に当たってフェルール１１６の端面が傷つくことが防止される。第２には、特に、作業者が上記のパッケージ１３−２の誤った挿入を力を入れて行った場合に突き当たったコーディングキー１０４、１２１、１３１、１１２が破損することによって、光コネクタ４１、電気コネクタ３１、電気コネクタ４３、光コネクタ３３が破損することが避けられる。
【００３０】
なお、作業者が、誤って、パッケージを正しくない場所に挿入させた場合に、パッケージ側光コネクタがバックプレーン側光コネクタとされようとする場合がある。この場合にも、第１には、パッケージ側光コネクタのコーディングキーがバックプレーン側光コネクタのコーディングキーに突き当たることによって、パッケージ側光コネクタがバックプレーン側光コネクタと接続されることが拒否される。第２には、突き当たったコーディングキーが破損することによって、パッケージ側光コネクタ及びバックプレーン側光コネクタが破損することが避けられる。
【００３１】
〔第２実施例〕
図１０は本発明の第１実施例の光コネクタ２００を示す。光コネクタ２００はパッケージ側光コネクタ４１Ａとバックプレーン側光コネクタ５１Ａとよりなる。図８中、図２に示す構成部分と同じ部分には同じ符号を付し、図２に示す構成部分と対応する部分には添字「Ａ」を付した符号を付す。
【００３２】
パッケージ側光コネクタ４１は、パッケージ本体１６−２に取り付けてある光コネクタであり、図１１（Ａ）及び（Ｂ）に示すハウジング１０１Ａに、スリーブホルダ１０２及びＪプラグ１０３が組み込まれており、フェルール１０６が整列している構成である。
ハウジング１０１Ａは、中央に、光コネクタ専用のコーディングキー２０１を一体に有する構成である。
【００３３】
バックプレーン側光コネクタ５１は、バックプレーン１１に取り付けてある光コネクタであり、図１２（Ａ）及び（Ｂ）に示す略箱形状のハウジング１１０Ａに、プラグ１１１が組み込まれており、フェルール１１４が整列している構成である。
ハウジング１１０Ａは、中央に光コネクタ専用のコーディングキー２０２を一体に有する構成である。
【００３４】
コーディングキー２０１及びコーディングキー２０２は、電気コネクタについて規格化されているコーディングキー以外のものであり、ハウジング１０１Ａ及び１１０Ａと一体成形されている。
コーディングキー２０１は、直方体形状のブロック２０１ａとこのＸ１，Ｘ２方向両側のテーパ凸部２０１ｂ，２０１ｃとよりなる。図１３（Ａ）に示すように、このブロック２０１ａのＸ１，Ｘ２方向に長い長方形の端面２０１ｄは、フェルール１０６の先端より寸法ｂ突き出ている。
【００３５】
コーディングキー２０２は、凹部２０２ａと、この凹部２０２ａのＺ１，Ｚ２方向両側に沿う、Ｘ１，Ｘ２方向に長い長方形の面部２０２ｂ，２０２ｃとよりなる。凹部２０２ａは、直方体形状のブロック２０１ａとテーパ凸部２０１ｂ，２０１ｃとを受け入れる大きさを有し、Ｘ１，Ｘ２方向両側にはテーパ部２０２ｄ，２０２ｅが形成されている。図１３（Ａ）に示すように、面部２０２ｂ，２０２ｃは、フェルール１１６の先端より寸法ｂ突き出ている。
【００３６】
コーディングキー２０１は、図６に示すコーディングキー１１２との関係では、端面２０１ｄが、突起部１２１ａ３のうちのＺ２側寄りの部分及び突起部１２１ａ５、１２１ａ６、１２１ａ８のうちのＺ１側寄りの部分に突き当たる関係にある。
コーディングキー２０２は、図４に示すコーディングキー１０４との関係では、面部２０２ｂが、突起部突起部１０４ａ１、１０４ａ２、１０４ａ４のうちのＺ１側寄りの部分の部分に突き当たり、面部２０２ｃが、突起部突起部１０４ａ７のうちのＺ２側寄りの部分の部分に突き当たる関係にある。
【００３７】
図１に示すようにパッケージ１３−２がガイドレール１４−２に案内されてＹ１方向に挿入された場合には、図１３（Ｂ）に簡略して示すように、コーディングキー２０１が、テーパ凸部２０１ｂ，２０１ｃをテーパ部２０２ｄ，２０２ｅに案内されて、コーディングキー２０２の凹部２０２ａ内に入り込み、凹部２０２ａ内に嵌合され、パッケージ側光コネクタ４１Ａはバックプレーン側光コネクタ５１Ａと正常に接続され、フェルール１０６とフェルール１１４とがばね（図示せず）によって突き当たった状態となる。
【００３８】
次に、同じく図１に示すように、作業者が、誤って、パッケージ１３−２をガイドレール１４−１に案内させて挿入させた場合における、接続拒否について説明する。
この場合には、コネクタ群１９−２の電気コネクタ４０、光コネクタ４１Ａ、光コネクタ４２、電気コネクタ４３が、コネクタ群１５−１の電気コネクタ３０、電気コネクタ３１、電気コネクタ３２、光コネクタ３３Ａに接続されようとする。バックプレーン側光コネクタ３３Ａは図１０のバックプレーン側光コネクタ５１Ａと同じものである。
【００３９】
図１４（Ａ）乃至（Ｃ）は、図１中、パッケージ１３−２のパッケージ側光コネクタ４１Ａとバックプレーン１１上のバックプレーン側電気コネクタ３１との関係を示す。
図１４（Ｂ）に示すように、コーディングキー２０１はバックプレーン側電気コネクタ３１のコーディングキー１２１とは入れ子の関係にない。
【００４０】
よって、パッケージ側光コネクタ４１がバックプレーン側電気コネクタ３１と接続されようとすると、図１４（Ｃ）に示すように、フェルール１０６がピン端子１２３に当たる前にコーディングキー２０１のブロック２０１ａの端面２０１ｄがコーディングキー１２１の突起部１２１ａに突き当たって、パッケージ側光コネクタ４１Ａのバックプレーン側電気コネクタ３１との接続が拒否される。
【００４１】
図１５（Ａ）乃至（Ｃ）は、図１中、パッケージ１３−２のパッケージ側電気コネクタ４３とバックプレーン１１上のバックプレーン側光コネクタ３３Ａとの関係を示す。
図１５（Ｂ）に示すように、パッケージ側電気コネクタ４３のコーディングキー１３１はコーディングキー２０２とは入れ子の関係にない。
【００４２】
よって、パッケージ側電気コネクタ４３がバックプレーン側光コネクタ３３と接続されようとすると、図１５（Ｃ）に示すように、ハウジング１３０の前面１３０ｂがフェルール１１４に当たる前にコーディングキー１３１の突起部１３１ｂがコーディングキー２０２の面部２０２ｃに突き当たって、パッケージ側電気コネクタ４３のバックプレーン側光コネクタ３３Ａとの接続が拒否される。
【００４３】
このため、第１には、フェルール１０６がピン端子１２３に当たってフェルール１０６の端面が傷つくこと、及びハウジング１３０の前面１３０ｂがフェルール１１６に当たってフェルール１１６の端面が傷つくことが防止される。第２には、特に、作業者が上記のパッケージ１３−２の誤った挿入を力を入れて行った場合に突き当たったコーディングキー１２１、１３１が破損することによって、光コネクタ４１Ａ、電気コネクタ３１、電気コネクタ４３、光コネクタ３３Ａが破損することが避けられる。
【００４４】
なお、コーディングキー２０１、２０２が独立している部材であり、これをハウジングハウジング１０１Ａ、１１０Ａに組み込んだ構成であってもよい。
〔第３実施例〕
図１６は本発明の第１実施例の光コネクタ３００を示す。光コネクタ３００はパッケージ側光コネクタ４１Ｂとバックプレーン側光コネクタ５１Ｂとよりなる。図１６中、図２に示す構成部分と同じ部分には同じ符号を付し、図２に示す構成部分と対応する部分には添字「Ｂ」を付した符号を付す。
【００４５】
パッケージ側光コネクタ４１Ｂは、Ｚ１、Ｚ２方向端に、Ｙ１方向に突き出た腕部３０１、３０２を有する。腕部３０１、３０２の内側に、隙間３０３、３０４を有する。
バックプレーン側光コネクタ５１Ｂは、Ｚ１、Ｚ２方向端に、Ｙ２方向に突き出た腕部３０５、３０６を有する。
【００４６】
光コネクタ４１Ｂと光コネクタ５１Ｂとは、腕部３０５、３０６が隙間３０３、３０４内に収まって接続される。
光コネクタ４１Ｂが電気コネクタ３１に接続されようとする場合には、腕部３０１、３０２の先端が電気コネクタ３１のハウジング１２０のうち符号Ｐで示すＺ１、Ｚ２方向端近傍の４つの部分に突き当たって、接続を拒否される。
【００４７】
電気コネクタ４３が光コネクタ５１Ｂに接続されようとする場合には、ハウジング１３０のうちＺ１、Ｚ２方向端近傍の部分が腕部３０５、３０６に突き当たって、接続を拒否される。
〔第４実施例〕
図１７は本発明の第４実施例の光コネクタ４００を示す。光コネクタ３００はパッケージ側光コネクタ４１Ｃとバックプレーン側光コネクタ５１Ｃとよりなる。図１６中、図２に示す構成部分と同じ部分には同じ符号を付し、図２に示す構成部分と対応する部分には添字「Ｃ」を付した符号を付す。
【００４８】
パッケージ側光コネクタ４１Ｃは、Ｚ１、Ｚ２方向上中央のＸ１，Ｘ２方向の幅方向側に張り出た凸部４０１（他方は図示せず）を有する。
バックプレーン側光コネクタ５１Ｃは、Ｚ１、Ｚ２方向上中央のＸ１，Ｘ２方向の幅方向側に張り出た凸部４０２、４０３を有し、この凸部４０２、４０３の内側に上記凸部４０１を収容する凹部４０４、４０５を有する。
【００４９】
光コネクタ４１Ｃと光コネクタ５１Ｃとは、凸部４０１が凹部４０４、４０５内に入り込んで収まって接続される。
光コネクタ４１Ｃが電気コネクタ３１に接続されようとする場合には、凸部４０１の先端が電気コネクタ３１のハウジング１２０のうち符号Ｑで示す部分に突き当たって、接続を拒否される。
【００５０】
電気コネクタ４３が光コネクタ５１Ｃに接続されようとする場合には、ハウジング１３０が凸部４０２、４０３に突き当たって、接続を拒否される。
【００５１】
【発明の効果】
以上説明したように、本願発明によれば、誤って光コネクタが電気コネクタと接続されようとした場合に、光コネクタのコーディングキーが電気コネクタのコーディングキーと突き当たって、フェルールの先端面を傷付けてしまうことを防止出来る。
また、コーディングキーが壊れることによって、光コネクタ及び電気コネクタが破損することを防止出来る。
光コネクタ同士の間でも、対応しない光コネクタ同士が接続されることを防止出来る。
また、光コネクタがどの電気コネクタと接続されようとした場合にも、光コネクタのコーディングキーが電気コネクタのコーディングキーと必ずぶつかって、フェルールの先端面を傷付けてしまうことを防止出来る。
また、光コネクタ専用のコーディングキーは、この光コネクタ専用のコーディングキーと対をなす別の光コネクタ専用のコーディングキーには当たらない構成であるため、光コネクタ同士の接続は支障なく行われる。
また、ハウジングの形状を変更するだけで、光コネクタが電気コネクタと接続されようとした場合には、接続がされないように出来る。
【図面の簡単な説明】
【図１】本発明が適用される通信機器を示す図である。
【図２】本発明の第１実施例の光コネクタを示す図である。
【図３】図２中、パッケージ側光コネクタのハウジングを示す図である。
【図４】図３のハウジングに取り付けられるコーディングキーを示す図である。
【図５】図２中、バックプレーン側光コネクタのハウジングを示す図である。
【図６】図５のハウジングに取り付けられるコーディングキーを示す図である。
【図７】図２の光コネクタの接続を説明する図である。
【図８】パッケージ誤挿入の場合の光コネクタの電気コネクタへの接続拒否を説明する図である。
【図９】パッケージ誤挿入の場合の電気コネクタの光コネクタへの接続拒否を説明する図である。
【図１０】本発明の第２実施例の光コネクタを示す図である。
【図１１】図１０中、パッケージ側光コネクタのハウジングを示す図である。
【図１２】図１０中、バックプレーン側光コネクタのハウジングを示す図である。
【図１３】図１０のハウジングに取り付けられるコーディングキーを示す図である。
【図１４】パッケージ誤挿入の場合の光コネクタの電気コネクタへの接続拒否を説明する図である。
【図１５】パッケージ誤挿入の場合の電気コネクタの光コネクタへの接続拒否を説明する図である。
【図１６】本発明の第３実施例の光コネクタを示す図である。
【図１７】本発明の第４実施例の光コネクタを示す図である。
【符号の説明】
１０  通信機器
１１  バックプレーン
１２  シェルフ
１３−１，１３−２，１３−３  パッケージ
１００、２００、３００、４００  光コネクタ
４１、４１Ａ，４１Ｂ，４１Ｃ  パッケージ側光コネクタ
５１，５１Ａ，５１Ｂ  バックプレーン側光コネクタ
１０１，１０１Ａ  ハウジング
１０１ａ，１０１Ａａ  コーディングキー取り付け部
１０４  コーディングキー
１０５，１１３  光ファイバ
１０６，１１４  フェルール
１１０，１１０Ａ  ハウジング
１１０ａ，１１０Ａａ  コーディングキー取り付け部
１１２  コーディングキー
２０１，２０２  光コネクタ専用のコーディングキー
３０１，３０２，３０５，３０６  腕部
４０１、４０２、４０３  凸部
【図１】
0004099271.tif 000002
【図２】
0004099271.tif 000003
【図３】
0004099271.tif 000004
【図４】
0004099271.tif 000005
【図５】
0004099271.tif 000006
【図６】
0004099271.tif 000007
【図７】
0004099271.tif 000008
【図８】
0004099271.tif 000009
【図９】
0004099271.tif 000010
【図１０】
0004099271.tif 000011
【図１１】
0004099271.tif 000012
【図１２】
0004099271.tif 000013
【図１３】
0004099271.tif 000014
【図１４】
0004099271.tif 000015
【図１５】
0004099271.tif 000016
【図１６】
0004099271.tif 000017
【図１７】
0004099271.tif 000018